(57)【要約】【課題】同一の映像クロックだけでなく、異なった映像クロックの複数チャンネルの非圧縮デジタル映像データを伝送する場合にも、映像データの伝送に使用する信号線の数を抑えることを目的とする。【解決手段】クロック乗せ換え器Ａ１０４は、映像信号Ａと水平同期信号Ａと垂直同期信号Ａとの映像クロック信号Ａに同期した信号を多重させた多重信号Ａを、映像クロック信号Ａの２倍以上のクロック周波数の伝送クロックに同期させた映像信号ＹＣ’ａを生成する。クロック乗せ換え器Ｂ１１４は、映像信号Ｂと水平同期信号Ｂと垂直同期信号Ｂとの映像クロック信号Ｂに同期した信号を多重させた多重信号Ｂを、前記伝送クロックに同期させた映像信号ＹＣ’ｂを生成する。前記映像信号ＹＣ’ａ及び前記映像信号ＹＣ’ｂと前記伝送クロックとが映像信号受信器２０２へ出力される。【選択図】図１
2012213115.tif 000002
【特許請求の範囲】
【請求項１】
クロック周波数Ａの映像クロック信号Ａを入力として、前記映像クロック信号Ａの２倍以上の速さのクロック周波数の映像クロック信号２Ａを出力する逓倍器Ａと、
映像信号Ａと水平同期信号Ａと垂直同期信号Ａとの前記映像クロック信号Ａに同期した信号を、前記逓倍器Ａが出力した映像クロック信号２Ａに同期させて多重することにより、１つの多重信号Ａを生成する信号多重部Ａと、
クロック周波数Ｂの映像クロック信号Ｂを入力として、前記映像クロック信号Ｂの２倍以上の速さのクロック周波数の映像クロック信号２Ｂを出力する逓倍器Ｂと、
映像信号Ｂと水平同期信号Ｂと垂直同期信号Ｂとの前記映像クロック信号Ｂに同期した信号を、前記逓倍器Ｂが出力した映像クロック信号２Ｂに同期させて多重することにより、１つの多重信号Ｂを生成する信号多重部Ｂと、
前記信号多重部Ａが生成した多重信号Ａを、前記映像クロック信号２Ａ以上の速さ、かつ、前記映像クロック信号２Ｂ以上の速さのクロック周波数の伝送クロックに同期させた出力信号Ａを生成するとともに、前記信号多重部Ｂが生成した多重信号Ｂを前記伝送クロックに同期させた出力信号Ｂを生成する出力信号生成部と
を備えることを特徴とする映像信号変換装置。
【請求項２】
前記出力信号生成部は、前記伝送クロックが前記映像クロック信号２Ａよりも速い場合には、前記多重信号Ａに有効なデータがないことを示す無効データと前記多重信号Ａとを多重して、前記出力信号Ａを生成し、前記伝送クロックが前記映像クロック信号２Ｂよりも速い場合には、前記多重信号Ｂに有効なデータがないことを示す無効データと前記多重信号Ｂとを多重して、前記出力信号Ｂを生成する
ことを特徴とする請求項１に記載の映像信号変換装置。
【請求項３】
前記出力信号生成部は、前記多重信号Ａと前記多重信号Ｂとを、前記映像クロック信号２Ａの２倍以上の速さ、かつ、前記映像クロック信号２Ｂの２倍以上の速さの伝送クロックに同期させて多重することにより、前記出力信号Ａと前記出力信号Ｂとを合わせた１つの出力信号を生成する
ことを特徴とする請求項１に記載の映像信号変換装置。
【請求項４】
前記出力信号生成部は、前記伝送クロックが前記映像クロック信号２Ａの２倍よりも速い場合と、前記伝送クロックが前記映像クロック信号２Ｂの２倍よりも速い場合との少なくともいずれかの場合には、前記多重信号Ａと前記多重信号Ｂとに有効なデータがないことを示す無効データと前記多重信号Ａと前記多重信号Ｂとを多重して、前記出力信号を生成する
ことを特徴とする請求項３に記載の映像信号変換装置。
【請求項５】
前記映像信号Ａは、輝度信号Ｙａと色差信号Ｃａとを含む映像信号であり、
前記逓倍器Ａは、所定の場合には、前記映像クロック信号Ａ以上の速さのクロック周波数の映像クロック信号Ａ’を出力し、
前記信号多重部Ａは、前記所定の場合には、前記映像信号Ａのうちの輝度信号Ｙａと前記水平同期信号Ａと前記垂直同期信号Ａとの信号を、前記逓倍器Ａが出力した映像クロック信号Ａ’に同期させて多重することにより、１つの多重信号Ａ１を生成するとともに、前記映像信号Ａのうちの色差信号Ｃａと前記水平同期信号Ａと前記垂直同期信号Ａとの信号を、前記逓倍器Ａが出力した映像クロック信号Ａ’に同期させて多重することにより、１つの多重信号Ａ２を生成し、
前記出力信号生成部は、前記所定の場合には、前記信号多重部Ａが生成した多重信号Ａ１を、前記映像クロック信号Ａ’以上の速さのクロック周波数の伝送クロックに同期させた出力信号Ａ１を生成するとともに、前記多重信号Ａ２を前記映像クロック信号Ａ’以上の速さのクロック周波数の伝送クロックに同期させた出力信号Ａ２を生成する
ことを特徴とする請求項１に記載の映像信号変換装置。
【請求項６】
処理装置が、クロック周波数Ａの映像クロック信号Ａを入力として、前記映像クロック信号Ａの２倍以上の速さのクロック周波数の映像クロック信号２Ａを出力する逓倍工程Ａと、
処理装置が、映像信号Ａと水平同期信号Ａと垂直同期信号Ａとの前記映像クロック信号Ａに同期した信号を、前記逓倍工程Ａで出力した映像クロック信号２Ａに同期させて多重することにより、１つの多重信号Ａを生成する信号多重工程Ａと、
処理装置が、クロック周波数Ｂの映像クロック信号Ｂを入力として、前記映像クロック信号Ｂの２倍以上の速さのクロック周波数の映像クロック信号２Ｂを出力する逓倍工程Ｂと、
処理装置が、映像信号Ｂと水平同期信号Ｂと垂直同期信号Ｂとの前記映像クロック信号Ｂに同期した信号を、前記逓倍工程Ｂで出力した映像クロック信号２Ｂに同期させて多重することにより、１つの多重信号Ｂを生成する信号多重工程Ｂと、
処理装置が、前記信号多重工程Ａで生成した多重信号Ａを、前記映像クロック信号２Ａ以上の速さ、かつ、前記映像クロック信号２Ｂ以上の速さのクロック周波数の伝送クロックに同期させた出力信号Ａを生成するとともに、前記信号多重工程Ｂで生成した多重信号Ｂを前記伝送クロックに同期させた出力信号Ｂを生成する出力信号生成工程と
を備えることを特徴とする映像信号変換方法。
【請求項７】
クロック周波数Ａの映像クロック信号Ａを入力として、前記映像クロック信号Ａの２倍以上の速さのクロック周波数の映像クロック信号２Ａを出力する逓倍処理Ａと、
映像信号Ａと水平同期信号Ａと垂直同期信号Ａとの前記映像クロック信号Ａに同期した信号を、前記逓倍処理Ａで出力した映像クロック信号２Ａに同期させて多重することにより、１つの多重信号Ａを生成する信号多重処理Ａと、
クロック周波数Ｂの映像クロック信号Ｂを入力として、前記映像クロック信号Ｂの２倍以上の速さのクロック周波数の映像クロック信号２Ｂを出力する逓倍処理Ｂと、
映像信号Ｂと水平同期信号Ｂと垂直同期信号Ｂとの前記映像クロック信号Ｂに同期した信号を、前記逓倍処理Ｂで出力した映像クロック信号２Ｂに同期させて多重することにより、１つの多重信号Ｂを生成する信号多重処理Ｂと、
前記信号多重処理Ａで生成した多重信号Ａを、前記映像クロック信号２Ａ以上の速さ、かつ、前記映像クロック信号２Ｂ以上の速さのクロック周波数の伝送クロックに同期させた出力信号Ａを生成するとともに、前記信号多重処理Ｂで生成した多重信号Ｂを前記伝送クロックに同期させた出力信号Ｂを生成する出力信号生成処理と
をコンピュータに実行させることを特徴とする映像信号変換プログラム。 
【発明の詳細な説明】
【技術分野】
【０００１】
この発明は、映像データの伝送技術に関する。特に、この発明は、信号線の総数を減らして映像データの伝送を行う技術に関する。
【背景技術】
【０００２】
非圧縮デジタル映像データの伝送を行う場合、例えばＩＴＵ−Ｒ．ＢＴ−６０１形式はＹ信号８ビット、Ｃｂ／Ｃｒ信号に８ビット、垂直同期信号に１ビット、水平同期信号に１ビット、有効データを示す信号に１ビット、さらにドットクロック信号に１ビットの合計２０ビットの信号を出力している。
【０００３】
また、非圧縮デジタル映像データの伝送を行う場合、例えばＩＴＵ−Ｒ．ＢＴ−６５６形式はＹ信号、Ｃｂ／Ｃｒ信号、垂直同期信号、水平同期信号、有効データを示す信号を８ビットに多重し、さらにドットクロック信号に１ビットの合計９ビットの信号を出力している。
【０００４】
特許文献１には、映像データの伝送に使用する信号線の数を減らすことについて記載がある。特許文献１では、単位時間当り６ビットの情報量を有するＲ信号、Ｇ信号及びＢ信号を、時分割多重することにより単位時間当り６ビットの情報量を有するＲＧＢ信号と１ビットの判別信号ＭＫＲに変換している。これにより、Ｒ信号、Ｇ信号及びＢ信号を伝送するために必要な信号線の数が１８本から７本となり、１１本の信号線を削減している。
【先行技術文献】
【特許文献】
【０００５】
【特許文献１】特開平２００１−２２４０４５号公報
【発明の概要】
【発明が解決しようとする課題】
【０００６】
しかし、特許文献１に記載された方法では、同一の映像クロックで動作する映像信号しか時分割多重することができない。そのため、異なった映像クロックで動作する複数チャンネルの映像信号は多重することができない。
この発明は、同一の映像クロックだけでなく、異なった映像クロックの複数チャンネルの非圧縮デジタル映像データを伝送する場合にも、映像データの伝送に使用する信号線の数を抑えることを目的とする。
【課題を解決するための手段】
【０００７】
この発明に係る映像信号変換装置は、
クロック周波数Ａの映像クロック信号Ａを入力として、前記映像クロック信号Ａの２倍以上の速さのクロック周波数の映像クロック信号２Ａを出力する逓倍器Ａと、
映像信号Ａと水平同期信号Ａと垂直同期信号Ａとの前記映像クロック信号Ａに同期した信号を、前記逓倍器Ａが出力した映像クロック信号２Ａに同期させて多重することにより、１つの多重信号Ａを生成する信号多重部Ａと、
クロック周波数Ｂの映像クロック信号Ｂを入力として、前記映像クロック信号Ｂの２倍以上の速さのクロック周波数の映像クロック信号２Ｂを出力する逓倍器Ｂと、
映像信号Ｂと水平同期信号Ｂと垂直同期信号Ｂとの前記映像クロック信号Ｂに同期した信号を、前記逓倍器Ｂが出力した映像クロック信号２Ｂに同期させて多重することにより、１つの多重信号Ｂを生成する信号多重部Ｂと、
前記信号多重部Ａが生成した多重信号Ａを、前記映像クロック信号２Ａ以上の速さ、かつ、前記映像クロック信号２Ｂ以上の速さのクロック周波数の伝送クロックに同期させた出力信号Ａを生成するとともに、前記信号多重部Ｂが生成した多重信号Ｂを前記伝送クロックに同期させた出力信号Ｂを生成する出力信号生成部と
を備えることを特徴とする。
【発明の効果】
【０００８】
この発明に係る映像信号変換装置は、映像クロック信号Ａに同期した映像信号Ａを多重信号Ａとし、映像クロック信号Ｂに同期した映像信号Ｂを多重信号Ｂとし、多重信号Ａと多重信号Ｂとをそれぞれ伝送クロックに同期した出力信号Ａ，Ｂとしている。そのため、映像クロック信号Ａと映像クロック信号Ｂとのクロックが同一であるか異なるかにかかわらず、映像信号Ａ，Ｂの伝送に使用する信号線の数を減らすことができる。
【図面の簡単な説明】
【０００９】
【図１】実施の形態１に係る映像伝送装置１００の機能を示す機能ブロック図。
【図２】実施の形態１にかかる映像伝送装置１００の動作を示すタイミング図。
【図３】実施の形態１にかかる映像伝送装置１００の動作を示すタイミング図。
【図４】映像信号ＹＣ’ａ３４１及び映像信号ＹＣ’ｂ４４１として出力される映像信号値に多重される情報の割り当ての例を示す図。
【図５】実施の形態２に係る映像伝送装置１００の機能を示す機能ブロック図。
【図６】実施の形態２にかかる映像伝送装置１００の動作を示すタイミング図。
【図７】映像信号ＹＣ’６２２として出力される映像信号値に多重される情報の割り当ての例を示す図。
【図８】実施の形態３に係る映像伝送装置１００の機能を示す機能ブロック図。
【図９】実施の形態３にかかる映像伝送装置１００の第２の動作を示すタイミング図。
【発明を実施するための形態】
【００１０】
実施の形態１．
図１は、実施の形態１に係る映像伝送装置１００（映像信号変換装置）の機能を示す機能ブロック図である。
【００１１】
クロック発生器２００は、映像伝送装置１００に対して、伝送クロックＴＣＫを出力する。なお、伝送クロックＴＣＫは、後述する映像クロックＶＣＫａの２倍より速いクロック周波数のクロックで、かつ、後述する映像クロックＶＣＫｂの２倍より速いクロック周波数のクロックである。
【００１２】
映像信号出力器Ａ２０１は、映像伝送装置１００に対して、映像クロック信号ＶＣＫａ（映像クロック信号Ａ）、水平同期信号ＨＳＹＮＣａ、垂直同期信号ＶＳＹＮＣａ、有効画素判定信号ＤＥａ、輝度信号Ｙａ（８ビット）、及び色差信号Ｃａ（８ビット）を出力する。なお、輝度信号Ｙａと色差信号Ｃａとを合わせて映像信号Ａと呼ぶ。
【００１３】
映像信号出力器Ｂ２１１は、映像伝送装置１００に対して、映像クロック信号ＶＣＫｂ（映像クロック信号Ｂ）、水平同期信号ＨＳＹＮＣｂ、垂直同期信号ＶＳＹＮＣｂ、有効画素判定信号ＤＥｂ、輝度信号Ｙｂ（８ビット）、及び色差信号Ｃｂ（８ビット）を出力する。なお、輝度信号Ｙｂと色差信号Ｃｂとを合わせて映像信号Ｂと呼ぶ。
【００１４】
映像伝送装置１００は、映像信号出力器Ａ２０１が出力する映像信号Ａ（Ｙａ，Ｃａ）と、映像信号出力器Ｂ２１１が出力する映像信号Ｂ（Ｙｂ，Ｃｂ）とを、クロック発生器２００が発生させた伝送クロックＴＣＫに同期させて、映像信号受信器２０２へ伝送する。
映像伝送装置１００は、逓倍器Ａ１０１、レベル変換器Ａ１０２、マルチプレクサＡ１０３（信号多重部Ａ）、クロック乗せ換え器Ａ１０４（出力信号生成部）を備える。また、映像伝送装置１００は、逓倍器Ｂ１１１、レベル変換器Ｂ１１２、マルチプレクサＢ１１３（信号多重部Ｂ）、クロック乗せ換え器Ｂ１１４（出力信号生成部）を備える。
【００１５】
逓倍器Ａ１０１は、映像信号出力器Ａ２０１から出力される映像クロック信号ＶＣＫａを２倍に逓倍したクロック（映像クロック信号２Ａ）を出力する。
【００１６】
レベル変換器Ａ１０２は、映像信号出力器Ａから出力された輝度信号Ｙａと色差信号Ｃａとのレベルを変換して、輝度信号Ｙ’ａと色差信号Ｃ’ａとにする。例えば、レベル変換器Ａ１０２は、輝度信号及び色差信号のレベル範囲０ｘ００〜０ｘＦＦをレベル範囲０ｘ１０〜０ｘＥＦに変換する。
【００１７】
マルチプレクサＡ１０３は、逓倍器Ａ１０１が出力した映像クロックＶＣＫａの２倍のクロックを用いて、レベル変換器Ａ１０２が出力した輝度信号Ｙ’ａと色差信号Ｃ’ａとを時分割多重し８ビットの信号に変換する。
さらに、マルチプレクサＡ１０３は、有効画素判定信号ＤＥａがブランキング期間を示す期間に、水平同期信号ＨＳＹＮＣａと垂直同期信号ＶＳＹＮＣａとブランキング画素とを示す情報を多重し、映像信号ＹＣａ（８ビット）（多重信号Ａ）として出力する。なお、ブランキング期間とは、画素が有効でない期間である。
【００１８】
クロック乗せ換え器Ａ１０４は、マルチプレクサＡ１０３が出力した映像信号ＹＣａを、クロック発生器２００が出力した伝送クロックＴＣＫに同期させて出力する。なお、クロック乗せ換え器Ａ１０４は、伝送クロックＴＣＫと映像クロックＶＣＫａとのクロック差により映像信号ＹＣａに有効なデータがない場合は、無効データを示す情報を多重し、映像信号ＹＣ’ａ（８ビット）（出力信号Ａ）として出力する。
【００１９】
逓倍器Ｂ１１１は、映像信号出力器Ｂ２１１から出力される映像クロック信号ＶＣＫｂを２倍に逓倍したクロック（映像クロック信号２Ｂ）を出力する。
【００２０】
レベル変換器Ｂ１１２は、レベル変換器Ａ１０２と同じように、映像信号出力器Ｂ２１１から送出される輝度信号Ｙｂと色差信号Ｃｂとのレベルを変換して、輝度信号Ｙ’ｂと色差信号Ｃ’ｂとにする。
【００２１】
マルチプレクサＢ１１３は、マルチプレクサＡ１０３と同じように、逓倍器Ａ１０１が出力した映像クロックＶＣＫｂの２倍のクロックを用いて、レベル変換器Ｂ１１２が出力した輝度信号Ｙ’ｂと色差信号Ｃ’ｂとを時分割多重し８ビットの信号に変換する。
さらに、マルチプレクサＢ１１３は、マルチプレクサＡ１０３と同じように、有効画素判定信号ＤＥｂがブランキング期間を示す期間に、水平同期信号ＨＳＹＮＣｂと垂直同期信号ＶＳＹＮＣｂとブランキング画素を示す情報とを多重し、映像信号ＹＣｂ（８ビット）（多重信号Ｂ）として出力する。
【００２２】
クロック乗せ換え器Ｂ１１４は、クロック乗せ換え器Ａ１０４と同じように、マルチプレクサＢ１１３が出力した映像信号ＹＣｂを、クロック発生器２００が出力した伝送クロックＴＣＫに同期させて出力する。なお、クロック乗せ換え器Ｂ１１４は、伝送クロックＴＣＫと映像クロックＶＣＫｂとのクロック差により映像信号ＹＣｂに有効なデータがない場合は、無効データを示す情報を多重し、映像信号ＹＣ’ｂ（８ビット）（出力信号Ｂ）として出力する。
【００２３】
映像信号受信器２０２は、映像伝送装置１００から伝送クロックＴＣＫと映像信号ＹＣ’ａと映像信号ＹＣ’ｂとを受信する。映像信号受信器２０２は、受信した映像信号ＹＣ’ａと映像信号ＹＣ’ｂとのそれぞれについて、無効データの分離、垂直同期信号の分離、水平同期信号の分離、有効画素判定信号の分離、輝度信号の分離、及び色差信号の分離を行う。また、映像信号受信器２０２は、輝度信号及び色差信号について、レベル変換器Ａ１０２及びレベル変換器Ｂ１１２で行ったレベル変換の逆変換を行う。
これにより、映像信号出力器Ａ２０１が映像伝送装置１００に入力した映像データＡと、映像信号出力器Ｂ２１１が映像伝送装置１００に入力した映像データＢとが再生される。
【００２４】
図２は、実施の形態１にかかる映像伝送装置１００の動作を示すタイミング図である。図２では、映像信号出力器Ａ２０１から映像伝送装置１００に入力された映像信号の変換処理を示している。
【００２５】
垂直同期信号ＶＳＹＮＣａ３０１、水平同期信号ＨＳＹＮＣａ３０２、有効画素判定信号ＤＥａ３０３、輝度信号Ｙａ３０４、及び色差信号Ｃａ３０５は、映像信号出力器Ａ２０１から映像伝送装置１００に入力される信号を示している。
【００２６】
垂直同期信号ＶＳＹＮＣａ３０１、水平同期信号ＨＳＹＮＣａ３０２、及び有効画素判定信号ＤＥａ３０３はＨｉｇｈの場合に有意となる信号である。特に、有効画素判定信号ＤＥａ３０３がＬｏｗの期間は、輝度信号Ｙａ３０４及び色差信号Ｃａ３０５はブランク期間となり有効なデータが入力されない。一方、有効画素判定信号ＤＥａ３０３がＨｉｇｈの期間は、輝度信号Ｙａ３０４、及び色差信号Ｃａ３０５に有効データが入力される。
【００２７】
垂直同期信号ＶＳＹＮＣａ３１１、水平同期信号ＨＳＹＮＣａ３１２、有効画素判定信号ＤＥａ３１３、輝度信号Ｙａ３１４、及び色差信号Ｃａ３１５は、垂直同期信号ＶＳＹＮＣａ３０１、水平同期信号ＨＳＹＮＣａ３０２、有効画素判定信号ＤＥａ３０３、輝度信号Ｙａ３０４、及び色差信号Ｃａ３０５の一部をそれぞれ拡大した信号を示している。
【００２８】
輝度信号Ｙａ３１４は、有効画素判定信号ＤＥａ３１３がＬｏｗの期間はブランク期間となり、有効画素判定信号ＤＥａ３１３がＨｉｇｈの期間はＹ０，Ｙ１，Ｙ２，．．．の順番に画素データが入力される。
色差信号Ｃａ３１５は、有効画素判定信号ＤＥａ３１３がＬｏｗの期間はブランク期間となり、有効画素判定信号ＤＥａ３１３がＨｉｇｈの期間はＣ０，Ｃ１，Ｃ２，．．．の順番に画素データが入力される。
【００２９】
映像信号クロックＶＣＫａ３２０は、映像信号出力器Ａ２０１から映像伝送装置１００に入力される信号を示しており、輝度信号Ｙ’ａ３２４及び色差信号Ｃ’ａ３２５は、レベル変換器Ａ１０２が出力する信号を示している。輝度信号Ｙ’ａ３２４は、輝度信号Ｙａ３１４のＹ０，Ｙ１，Ｙ２，．．．がそれぞれＹ’０，Ｙ’１，Ｙ’２，．．．に変換されたことを示している。同様に、色差信号Ｃ’ａ３２５は、色差信号Ｃａ３１５のＣ０，Ｃ１，Ｃ２，．．．がそれぞれＣ’０，Ｃ’１，Ｃ’２，．．．に変換されたことを示している。
【００３０】
映像クロックＶＣＫ２ａ３３０は、逓倍器Ａ１０１が出力する映像クロックＶＣＫａの２倍のクロック周波数のクロックを示しており、映像信号ＹＣａ３３１は、マルチプレクサＡ１０３が出力する映像信号を示している。
映像信号ＹＣａ３３１は、垂直同期信号ＶＳＹＮＣａ３１１がＨｉｇｈの期間は垂直同期信号が有効であることを示す情報（図２では‘Ｖ’として記載）が多重される。また、映像信号ＹＣａ３３１は、水平同期信号ＨＳＹＮＣａ３１２がＨｉｇｈの期間は水平同期信号が有効であることを示す情報（図２では‘Ｈ’として記載）が多重される。また、映像信号ＹＣａ３３１は、垂直同期信号ＶＳＹＮＣａ３１１がＬｏｗであり、かつ、水平同期信号ＨＳＹＮＣａ３１２がＬｏｗであり、かつ、有効画素判定信号ＤＥａ３１３がＬｏｗであるの期間はブランキング期間であることを示す情報（図２では‘Ｂ’として記載）が多重される。また、映像信号ＹＣａ３３１は、有効画素判定信号ＤＥａ３１３がＨｉｇｈの期間は輝度信号Ｙ’ａ３２４と色差信号Ｃ’ａ３２５とが時分割に多重される。また、映像信号ＹＣａ３３１は、映像クロックＶＣＫ２ａ３３０に同期して出力される。
なお、図２では示されていないが、映像信号ＹＣａ３３１は、垂直同期信号ＶＳＹＮＣａ３１１がＨｉｇｈであり、かつ、水平同期信号ＨＳＹＮＣａ３１２がＨｉｇｈである期間は、垂直同期信号及び水平同期信号が有効であることを示す情報が多重される。
【００３１】
伝送クロックＴＣＫ３４０はクロック発生器２００が出力するクロックを示しており、映像信号ＹＣ’ａ３４１はクロック乗せ換え器Ａ１０４が出力する映像信号を示している。
映像信号ＹＣ’ａ３４１としては、映像信号ＹＣａ３３１の信号が順次出力される。映像信号ＹＣ’ａ３４１は、映像クロックＶＣＫ２ａ３２０と伝送クロックＴＣＫ３４０のクロック周波数差により映像信号ＹＣａ３３１のデータが不足した場合は、無効データを示す情報（図２では‘Ｎ’と記載）が多重される。また、映像信号ＹＣ’ａ３４１は、伝送クロックＴＣＫ３４０に同期して出力される。
【００３２】
なお、図２では、伝送クロックＴＣＫ３４０が映像クロックＶＣＫａ３２０の３倍のクロック周波数であるため、映像信号ＹＣ’ａ３４１には、３画素に１回無効データを示す情報が多重されている。
【００３３】
図３は、実施の形態１にかかる映像伝送装置１００の動作を示すタイミング図である。図３では、映像信号出力器Ｂ２１１から映像伝送装置１００に入力された映像信号の変換処理を示している。
【００３４】
映像信号出力器Ｂ２１１から映像伝送装置１００に入力された映像信号の変換処理は、図２に基づき説明した、映像信号出力器Ａ２０１から映像伝送装置１００に入力された映像信号の変換処理と同様である。したがって、説明を省略する。なお、図３において、各信号は、以下の情報を示している。
垂直同期信号ＶＳＹＮＣｂ４０１、水平同期信号ＨＳＹＮＣｂ４０２、有効画素判定信号ＤＥｂ４０３、輝度信号Ｙｂ４０４、及び色差信号Ｃｂ４０５は、映像信号出力器Ｂ２１１から映像伝送装置１００に入力される信号を示している。
垂直同期信号ＶＳＹＮＣｂ４１１、水平同期信号ＨＳＹＮＣｂ４１２、有効画素判定信号ＤＥｂ４１３、輝度信号Ｙｂ４１４、及び色差信号Ｃｂ４１５は、垂直同期信号ＶＳＹＮＣｂ４０１、水平同期信号ＨＳＹＮＣｂ４０２、有効画素判定信号ＤＥｂ４０３、輝度信号Ｙｂ４０４、及び色差信号Ｃｂ４０５の一部をそれぞれ拡大した信号を示している。
映像信号クロックＶＣＫｂ４２０は、映像信号出力器Ｂ２１１から映像伝送装置１００に入力される信号を示しており、輝度信号Ｙ’ｂ４２４及び色差信号Ｃ’ｂ４２５は、レベル変換器Ｂ１１２が出力する信号を示している。
映像クロックＶＣＫ２ｂ４３０は、逓倍器Ｂ１１１が出力する映像クロックＶＣＫｂの２倍のクロック周波数のクロックを示しており、映像信号ＹＣｂ４３１は、マルチプレクサＢ１１３が出力する映像信号を示している。
伝送クロックＴＣＫ４４０は、クロック発生器２００が出力するクロックを示しており、図２に示す伝送クロックＴＣＫ３４０と同一のクロックである。映像信号ＹＣ’ｂ４４１は、クロック乗せ換え器Ｂ１１４が出力する映像信号を示している。
【００３５】
なお、図３では、伝送クロックＴＣＫ４４０は、映像クロックＶＣＫｂ４２０の４倍のクロック周波数であるため、映像信号ＹＣ’ｂ４４１には、２画素に１回無効データを示す情報が多重されている。
【００３６】
図４は、映像信号ＹＣ’ａ３４１及び映像信号ＹＣ’ｂ４４１として出力される映像信号値に多重される情報の割り当ての例を示す図である。
信号値５００は、映像信号ＹＣ’ａ３４１、及び映像信号ＹＣ’ｂ４４１から出力される０ｘ００〜０ｘＦＦまでの信号値を示している。信号の意味５０１は、信号値５００に対する信号の意味を示している。記号５０２は、図２及び図３で示した記号との対応を示している。
図４に示すように、レベル変換器Ａ１０２やレベル変換器Ｂ１１２で信号値のレベルを変換することにより、有効画素値データとして使用しなくなった信号値に、垂直同期信号情報、水平同期信号情報、ブランク期間情報、無効データ情報が多重される。
【００３７】
以上のように、実施の形態１に係る映像伝送装置１００では、垂直同期信号、水平同期信号、有効画素判別信号、輝度信号、及び色差信号の計１９ビットの信号を８ビットの映像信号に多重して出力することができる。
特に、実施の形態１に係る映像伝送装置１００では、映像クロックと伝送クロックとの周波数差を示す情報（無効データ）を映像信号に多重して出力する。そのため、映像クロックの異なる複数チャンネルの映像データを送信することができる。なお、この場合、クロック信号は共通のクロック１本で出力することができる。
【００３８】
これにより、例えば、映像クロックの異なる２チャンネルの映像データを出力する場合は、３８本の信号を１７本の信号で出力することができる。つまり、２１本の信号線を削減することができ、映像信号を伝送するための信号線を抑えることができる。
【００３９】
実施の形態２．
実施の形態１では、映像伝送装置１００は、映像信号出力器Ａ２０１が出力する映像信号Ａと、映像信号受信器２０２が出力する映像信号Ｂとをそれぞれ、８ビットの映像信号に変換して、映像信号受信器２０２へ伝送した。実施の形態２では、映像伝送装置１００は、映像信号出力器Ａ２０１が出力する映像信号Ａと、映像信号受信器２０２が出力する映像信号Ｂとをまとめて、８ビットの映像信号に変換して、映像信号受信器２０２へ伝送する。
【００４０】
図５は、実施の形態２に係る映像伝送装置１００の機能を示す機能ブロック図である。
【００４１】
実施の形態２に係る映像伝送装置１００は、図１に示す実施の形態１に係る映像伝送装置１００の構成から、クロック乗せ換え器Ａ１０４及びクロック乗せ換え器Ｂ１１４がなくなり、クロック乗せ換え器１０５（出力信号生成部）が追加されている。他は、図１に示す実施の形態１に係る映像伝送装置１００と同一であるため、同一のものは同一番号を付加し説明を省略する。
【００４２】
クロック乗せ換え器１０５は、マルチプレクサＡ１０３が出力する映像信号ＹＣａとマルチプレクサＢ１１３が出力する映像信号ＹＣｂとを時分割で多重し、クロック発生器２００が出力する伝送クロックＴＣＫに同期させて出力する。なお、クロック乗せ換え器１０５は、伝送クロックＴＣＫと、映像クロックＶＣＫａ及び映像クロックＶＣＫｂとのクロック差により映像信号ＹＣａ又は映像信号ＹＣｂに有効なデータがない場合は、無効データを示す情報を多重し、映像信号ＹＣ’（８ビット）として出力する。
【００４３】
映像信号受信器２０２は、映像伝送装置１００から伝送クロックＴＣＫと映像信号ＹＣ’とを受信する。映像信号受信器２０２は、受信した映像信号ＹＣ’について、無効データの分離、２チャンネルの映像データの分離、垂直同期信号の分離、水平同期信号の分離、有効画素判定信号の分離、輝度信号の分離、及び色差信号の分離を行う。また、映像信号受信器２０２は、輝度信号及び色差信号について、レベル変換器Ａ１０２及びレベル変換器Ｂ１１２で行ったレベル変換の逆変換を行う。
これにより、映像信号出力器Ａ２０１が映像伝送装置１００に入力した映像データＡと、映像信号出力器Ｂ２１１が映像伝送装置１００に入力した映像データＢとが再生される。
【００４４】
図６は、実施の形態２にかかる映像伝送装置１００の動作を示すタイミング図である。図６では、クロック乗せ換え器１０５に入力される映像信号と変換後の出力信号とを示している。
【００４５】
映像信号出力器Ａ２０１が出力する信号、レベル変換器Ａ１０２が出力する信号、及び逓倍器Ａ１０１が出力する信号は、図２と同一である。また、映像信号出力器Ｂ２１１が出力する信号、レベル変換器Ｂ１１２が出力する信号、及び逓倍器Ｂ１１１が出力する信号は、図３と同一である。
【００４６】
映像クロックＶＣＫ２ａ６００は、逓倍器Ａ１０１が出力する映像クロックＶＣＫａの２倍のクロック周波数のクロックを示しており、映像信号ＹＣａ６０１は、マルチプレクサＡ１０３が出力する映像信号を示している。
映像信号ＹＣａ６０１は、垂直同期信号が有効である事を示す情報（図６では’Ｖａ’として記載）、水平同期信号が有効である事を示す情報（図６では’Ｈａ’として記載）、ブランキング期間である事を示す情報（図６では’Ｂａ’として記載）、及び輝度信号と色差信号が時分割に多重されている。また、映像信号ＹＣａ６０１は、映像クロックＶＣＫ２ａ６００に同期して出力される。
【００４７】
映像クロックＶＣＫ２ｂ６１０は、逓倍器Ｂ１１１が出力する映像クロックＶＣＫｂの２倍のクロック周波数のクロックを示しており、映像信号ＹＣｂ６１１は、マルチプレクサＢ１１３が出力する映像信号を示している。
映像信号ＹＣｂ６１１は、垂直同期信号が有効である事を示す情報（図では’Ｖｂ’として記載）、水平同期信号が有効である事を示す情報（図では’Ｈｂ’として記載）、ブランキング期間である事を示す情報（図では’Ｂｂ’として記載）、及び輝度信号と色差信号が時分割に多重されている。また、映像信号ＹＣｂ６１１は、映像クロックＶＣＫ２ｂ６１０に同期して出力される。
【００４８】
伝送クロックＴＣＫ６２０は、クロック発生器２００が出力するクロックを示しており、映像信号ＹＣ’６２２は、クロック乗せ換え器１０５が出力する映像信号を示している。
ＡＢ判定信号ＡＢｉｄｃ６２１はＹＣ’６２２に２つの映像信号のどちらを多重するかを判定するための信号である。クロック乗せ換え器１０５は、ＡＢ判定信号ＡＢｉｄｃ６２１がＬｏｗの場合は、映像信号ＹＣａ６０１を多重し、ＡＢ判定信号ＡＢｉｄｃ６２１がＨｉｇｈの場合はＹＣｂ６１１を多重する。
【００４９】
映像信号ＹＣ’６２２は、映像信号ＹＣａ６０１と映像信号ＹＣｂ６１１とが時分割で多重され順次出力される。映像信号ＹＣ’６２２は、映像クロックＶＣＫ２ａ６００と伝送クロックＴＣＫ６２０とのクロック周波数差により映像信号ＹＣａ６０１のデータが不足した場合は無効データを示す情報（図６では‘Ｎａ’と記載）が多重され、映像クロックＶＣＫ２ｂ６１０と伝送クロックＴＣＫ６２０とのクロック周波数差により映像信号ＹＣｂ６１１のデータが不足した場合は無効データを示す情報（図６では‘Ｎｂ’と記載）が多重される。また、映像信号ＹＣ’６２２は、伝送クロックＴＣＫ６２０に同期して出力される。
【００５０】
なお、図６では、伝送クロックＴＣＫ６２０は映像クロックＶＣＫａ６００の４倍のクロック周波数で、かつ、伝送クロックＴＣＫ６２０は映像クロックＶＣＫｂ６１０の６倍のクロック周波数である。そのため、映像信号ＹＣ’３４１には、６画素に１回無効データを示す情報‘Ｎｂ’が多重される。
【００５１】
図７は、映像信号ＹＣ’６２２として出力される映像信号値に多重される情報の割り当ての例を示す図である。
信号値７００は、映像信号ＹＣ’６２２から出力される０ｘ００〜０ｘＦＦまでの信号値を示している。信号の意味７０１は、信号値７００に対する信号の意味を示している。記号７０２は、図６で示した記号との対応を示している。
図７に示すように、レベル変換器Ａ１０２やレベル変換器Ｂ１１２で信号値のレベルを変換することにより、有効画素値データとして使用しなくなった信号値に、垂直同期信号情報、水平同期信号情報、ブランク期間情報、無効データ情報が多重される。
また、チャンネルＡの垂直同期信号情報、水平同期信号情報、ブランク期間情報、無効データ情報を示す値と、チャンネルＢの垂直同期信号情報、水平同期信号情報、ブランク期間情報、無効データ情報を示す値とがそれぞれ異なる値になっている。そのため、映像信号受信器２０２では、２チャンネルの映像データの分離をすることができる。
【００５２】
以上のように、実施の形態２に係る映像伝送装置１００では、２チャンネルの垂直同期信号、水平同期信号、有効画素判別信号、輝度信号、及び色差信号の計３８ビットの信号を８ビットの映像信号に多重して出力する。さらに、映像クロックと伝送クロックの周波数差を示す情報（無効データ）を映像信号に多重して出力するため、クロック信号は共通のクロック１本で出力することができる。
【００５３】
これにより、例えば、映像クロックの異なる２チャンネルの映像データを出力する場合は、３８本の信号を９本の信号で出力することができる。つまり、２９本の信号線を削減することができ、映像信号を伝送するための信号線を抑えることができる。
【００５４】
実施の形態３．
実施の形態１，２では、映像伝送装置１００は、映像信号出力器Ａ２０１が出力する映像信号Ａと、映像信号受信器２０２が出力する映像信号Ｂとを映像信号受信器２０２へ伝送した。実施の形態３では、映像伝送装置１００は、映像信号出力器Ａ２０１と映像信号出力器Ｂ２１１とが出力する映像信号Ａ，Ｂを映像信号受信器２０２へ伝送する場合と、映像信号出力器Ａ２０１が出力する映像信号Ａのみを映像信号受信器２０２へ伝送する場合とを切り替える。
【００５５】
図８は、実施の形態３に係る映像伝送装置１００の機能を示す機能ブロック図である。
【００５６】
実施の形態３に係る映像伝送装置１００は、逓倍器Ａ１０１が出力するクロックを選択できる点と、マルチプレクサＡ１０３が出力する映像信号のチャンネル数を選択できる点と、クロック乗せ換え器Ｂ１１４が入力する映像信号を選択できる点とが、図１に示す実施の形態１に係る映像伝送装置１００と異なる。他は、図１に示す実施の形態１に係る映像伝送装置１００と同一であるため、同一のものは同一番号を付加し説明を省略する。
【００５７】
映像伝送装置１００は、第１の動作と第２の動作との２つの動作を切り替えて行う。
第１の動作は、逓倍器Ａ１０１は映像信号出力器Ａ２０１から出力される映像クロック信号ＶＣＫａを２倍に逓倍したクロックを出力する動作である。第２の動作は、逓倍器Ａ１０１は映像信号出力器Ａ２０１から出力される映像クロック信号ＶＣＫａを１倍のクロックを出力する動作である。
【００５８】
第１の動作について説明する。なお、第１の動作は、実施の形態１で説明した動作と概ね同じである。
【００５９】
逓倍器Ａ１０１は、第１の動作では、映像信号出力器Ａ２０１から出力される映像クロック信号ＶＣＫａを２倍に逓倍したクロック（映像クロック信号２Ａ）を出力する。
【００６０】
マルチプレクサＡ１０３は、逓倍器Ａ１０１が出力した映像クロックＶＣＫａの２倍のクロックを用いてレベル変換器Ａ１０２が出力した輝度信号Ｙ’ａと色差信号Ｃ’ａとを時分割多重し８ビットの信号に変換する。
さらに、マルチプレクサＡ１０３は、有効画素判定信号ＤＥａがブランキング期間を示す期間に、水平同期信号ＨＳＹＮＣａと垂直同期信号ＶＳＹＮＣａとブランキング画素を示す情報とを多重し、映像信号ＹＣａ１（８ビット）として出力する。
【００６１】
クロック乗せ換え器Ａ１０４は、マルチプレクサＡ１０３が出力する映像信号ＹＣａ１を、クロック発生器２００が出力する伝送クロックＴＣＫに同期させて出力する。なお、クロック乗せ換え器Ａ１０４は、伝送クロックＴＣＫと映像クロックＶＣＫａとのクロック差により映像信号ＹＣａ１に有効なデータがない場合は、無効データを示す情報を多重し、映像信号ＹＣ’ａ（８ビット）として出力する。
【００６２】
クロック乗せ換え器Ｂ１１４は、マルチプレクサＢ１１３が出力する映像信号ＹＣｂを、クロック発生器２００が出力する伝送クロックＴＣＫに同期させて出力する。なお、クロック乗せ換え器Ｂ１１４は、伝送クロックＴＣＫと映像クロックＶＣＫｂとのクロック差により映像信号ＹＣｂに有効なデータがない場合は、無効データを示す情報を多重し、映像信号ＹＣ’ｂ（８ビット）として出力する。
【００６３】
第２の動作について説明する。なお、伝送クロックＴＣＫは、第２の動作を行う場合には、映像クロックＶＣＫａの１倍よりも速いクロックであればよい。
【００６４】
逓倍器Ａ１０１は、第２の動作では、映像信号出力器Ａ２０１から出力される映像クロック信号ＶＣＫａを１倍に逓倍したクロック（映像クロック信号Ａ’）を出力する。
【００６５】
マルチプレクサＡ１０３は、逓倍器Ａ１０１が出力したクロックを用いて、有効画素判定信号ＤＥａがブランキング期間を示す期間に、水平同期信号ＨＳＹＮＣａと垂直同期信号ＶＳＹＮＣａとブランキング画素を示す情報とを輝度信号Ｙ’ａに多重し、映像信号ＹＣａ１（８ビット）として出力する。
また、マルチプレクサＡ１０３は、逓倍器Ａ１０１が出力したクロックを用いて、有効画素判定信号ＤＥａのブランキング期間を示す期間に、水平同期信号ＨＳＹＮＣａと垂直同期信号ＶＳＹＮＣａとブランキング画素を示す情報とを色差信号Ｃ’ａに多重し、映像信号ＹＣａ２（８ビット）として出力する。
【００６６】
クロック乗せ換え器Ａ１０４は、マルチプレクサＡ１０３が出力する映像信号ＹＣａ１をクロック発生器２００が出力する伝送クロックＴＣＫに同期させて出力する。なお、伝送クロックＴＣＫと映像クロックＶＣＫａとのクロック差により映像信号ＹＣａ１に有効なデータがない場合は、無効データを示す情報を多重し、映像信号ＹＣ’ａ（８ビット）として出力する。
【００６７】
クロック乗せ換え器Ｂ１１４は、マルチプレクサＡ１０３が出力する映像信号ＹＣａ２をクロック発生器２００が出力する伝送クロックＴＣＫに同期させて出力する。伝送クロックＴＣＫと映像クロックＶＣＫａとのクロック差により映像信号ＹＣａ２に有効なデータがない場合は、無効データを示す情報を多重し、映像信号ＹＣ’ｂ（８ビット）として出力する。
【００６８】
映像伝送装置１００が第１の動作を行う場合における映像信号受信器２０２の動作を説明する。
映像信号受信器２０２は、映像伝送装置１００から伝送クロックＴＣＫと映像信号ＹＣ’ａと映像信号ＹＣ’ｂとを受信する。映像信号受信器２０２は、受信した映像信号ＹＣ’ａと映像信号ＹＣ’ｂとのそれぞれについて、無効データの分離、垂直同期信号の分離、水平同期信号の分離、有効画素判定信号の分離、輝度信号の分離、及び色差信号の分離を行う。また、映像信号受信器２０２は、輝度信号及び色差信号について、レベル変換器Ａ１０２及びレベル変換器Ｂ１１２で行ったレベル変換の逆変換を行う。
これにより、映像信号出力器Ａ２０１が映像伝送装置１００に入力した映像データＡと、映像信号出力器Ｂ２１１が映像伝送装置１００に入力した映像データＢとが再生される。
【００６９】
映像伝送装置１００が第２の動作を行う場合における映像信号受信器２０２の動作を説明する。
映像信号受信器２０２は、映像伝送装置１００から伝送クロックＴＣＫと映像信号ＹＣ’ａと映像信号ＹＣ’ｂとを受信する。映像信号受信器２０２は、受信した映像信号ＹＣ’ａと映像信号ＹＣ’ｂとを１チャンネルのデータとして、無効データの分離、垂直同期信号の分離、水平同期信号の分離、有効画素判定信号の分離を行う。また、映像信号受信器２０２は、輝度信号及び色差信号について、レベル変換器Ａ１０２で行ったレベル変換の逆変換を行う。
これにより、映像信号出力器Ａ２０１が映像伝送装置１００に入力した映像データＡが再生される。
【００７０】
図９は、実施の形態３にかかる映像伝送装置１００の第２の動作を示すタイミング図である。図９では、映像信号出力器Ａ２０１から映像伝送装置１００に入力された映像信号の変換処理を示している。
なお、第１の動作を行う場合における映像伝送装置１００の動作は、図３及び図４を用いて実施の形態１で説明した通りであるため、ここでは説明を省略する。
【００７１】
垂直同期信号ＶＳＹＮＣａ８０１、水平同期信号ＨＳＹＮＣａ８０２、有効画素判定信号ＤＥａ８０３、輝度信号Ｙａ８０４、及び色差信号Ｃａ８０５は、映像信号出力器Ａ２０１から映像伝送装置１００に入力される信号を示している。
【００７２】
垂直同期信号ＶＳＹＮＣａ８０１、水平同期信号ＨＳＹＮＣａ８０２、及び有効画素判定信号ＤＥａ８０３はＨｉｇｈの場合に有意となる信号である。特に、有効画素判定信号ＤＥａ８０３がＬｏｗの期間は、輝度信号Ｙａ８０４及び色差信号Ｃａ８０５はブランク期間となり有効なデータが入力されない。一方、有効画素判定信号ＤＥａ８０３がＨｉｇｈの期間は、輝度信号Ｙａ８０４、及び色差信号Ｃａ８０５に有効データが入力される。
【００７３】
垂直同期信号ＶＳＹＮＣａ８１１、水平同期信号ＨＳＹＮＣａ８１２、有効画素判定信号ＤＥａ８１３、輝度信号Ｙａ８１４、及び色差信号Ｃａ８１５は、垂直同期信号ＶＳＹＮＣａ８０１、水平同期信号ＨＳＹＮＣａ８０２、有効画素判定信号ＤＥａ８０３、輝度信号Ｙａ８０４、及び色差信号Ｃａ８０５の一部をそれぞれ拡大した信号を示している。
【００７４】
輝度信号Ｙａ８１４は、有効画素判定信号ＤＥａ８１３がＬｏｗの期間はブランク期間となり、有効画素判定信号ＤＥａ８１３がＨｉｇｈの期間はＹ０，Ｙ１，Ｙ２，．．．の順番に画素データが入力される。
色差信号Ｃａ８１５は、有効画素判定信号ＤＥａ８１３がＬｏｗの期間はブランク期間となり、有効画素判定信号ＤＥａ８１３がＨｉｇｈの期間はＣ０，Ｃ１，Ｃ２，．．．の順番に画素データが入力される。
【００７５】
映像信号クロックＶＣＫａ８２０は、映像信号出力器Ａ２０１から映像伝送装置１００に入力される信号を示しており、輝度信号Ｙ’ａ８２４及び色差信号Ｃ’ａ８２５は、レベル変換器Ａ１０２が出力する信号を示している。輝度信号Ｙ’ａ８２４は、輝度信号Ｙａ８１４のＹ０，Ｙ１，Ｙ２，．．．がそれぞれＹ’０，Ｙ’１，Ｙ’２，．．．に変換されたことを示している。同様に、色差信号Ｃ’ａ８２５は、色差信号Ｃａ８１５のＣ０，Ｃ１，Ｃ２，．．．がそれぞれＣ’０，Ｃ’１，Ｃ’２，．．．に変換されたことを示している。
【００７６】
映像信号ＹＣａ１８３０は、マルチプレクサＡ１０３が出力する映像信号を示している。
映像信号ＹＣａ１８３０は、垂直同期信号ＶＳＹＮＣａ８１１がＨｉｇｈの期間は垂直同期信号が有効である事を示す情報（図９では’Ｖ’として記載）が多重される。また、映像信号ＹＣａ１８３０は、水平同期信号ＨＳＹＮＣａ８１２がＨｉｇｈの期間は水平同期信号が有効である事を示す情報（図９では’Ｈ’として記載）が多重される。また、映像信号ＹＣａ１８３０は、垂直同期信号ＶＳＹＮＣａ８１１がＬｏｗであり、かつ、水平同期信号ＨＳＹＮＣａ８１２がＬｏｗであり、かつ、有効画素判定信号ＤＥａ８１３がＬｏｗである期間はブランキング期間である事を示す情報（図９では’Ｂ’として記載）が多重される。また、映像信号ＹＣａ１８３０は、有効画素判定信号ＤＥａ８１３がＨｉｇｈの期間は輝度信号Ｙ’ａ８２４が多重される。また、映像信号ＹＣａ１８３０は、映像クロックＶＣＫａ８２０に同期して出力される。
【００７７】
映像信号ＹＣａ２８３１も、マルチプレクサＡ１０３が出力する映像信号を示している。
映像信号ＹＣａ２８３１は、垂直同期信号ＶＳＹＮＣａ８１１がＨｉｇｈの期間は垂直同期信号が有効である事を示す情報（図９では’Ｖ’として記載）が多重される。また、映像信号ＹＣａ２８３１は、水平同期信号ＨＳＹＮＣａ８１２がＨｉｇｈの期間は水平同期信号が有効である事を示す情報（図９では’Ｈ’として記載）が多重される。また、映像信号ＹＣａ２８３１は、垂直同期信号ＶＳＹＮＣａ８１１がＬｏｗであり、かつ、水平同期信号ＨＳＹＮＣａ８１２がＬｏｗであり、かつ、有効画素判定信号ＤＥａ８１３がＬｏｗである期間はブランキング期間である事を示す情報（図９では’Ｂ’として記載）が多重される。また、映像信号ＹＣａ２８３１は、有効画素判定信号ＤＥａ８１３がＨｉｇｈの期間は色差信号Ｃ’ａ８２５が多重される。また、映像信号ＹＣａ２８３１は、映像クロックＶＣＫａ８２０に同期して出力される。
【００７８】
伝送クロックＴＣＫ８４０は、クロック発生器２００が出力するクロックを示している。映像信号ＹＣ’ａ８４１は、クロック乗せ換え器Ａ２０６が出力する映像信号を示している。映像信号ＹＣ’ｂ８４２は、クロック乗せ換え器Ｂ１１４が出力する映像信号を示している。
映像信号ＹＣ’ａ８４１としては、映像信号ＹＣａ１８３０の信号が順次出力される。映像信号ＹＣ’ａ８４１は、映像クロックＶＣＫａ８２０と伝送クロックＴＣＫ８４０とのクロック周波数差により映像信号ＹＣａ１８３０のデータが不足した場合は無効データを示す情報（図では’Ｎ’と記載）が多重される。また、映像信号ＹＣ’ａ８４１は、伝送クロックＴＣＫ８４０に同期して出力される。
映像信号ＹＣ’ｂ８４２としては、映像信号ＹＣａ２８３１の信号が順次出力される。映像信号ＹＣ’ｂ８４２は、映像クロックＶＣＫａ８２０と伝送クロックＴＣＫ８４０とのクロック周波数差により映像信号ＹＣａ２８３１のデータが不足した場合は無効データを示す情報（図では’Ｎ’と記載）が多重される。また、映像信号ＹＣ’ｂ８４２は伝送クロックＴＣＫ８４０に同期して出力される。
【００７９】
なお、図９では、伝送クロックＴＣＫ８４０が映像クロックＶＣＫａ８２０の１．５倍のクロック周波数であるため、映像信号ＹＣ’ａ８４１及び映像信号ＹＣ’ｂ８４２には、３画素に１回無効データを示す情報が多重されている。
【００８０】
映像信号ＹＣ’ａ８４１、及び映像信号ＹＣ’ｂ８４２で出力される映像信号値に多重する情報の割り当ては、図３及び図４を用いて実施の形態１で説明した通りであるため、説明を省略する。
【００８１】
以上のように、実施の形態３に係る映像伝送装置１００では、第１の動作を行うことにより、実施の形態１と同様の効果を得ることができる。
また、実施の形態３に係る映像伝送装置１００では、第２の動作を行うことにより、２チャンネルの映像データを出力する信号線と同一の信号線を使用して、最大伝送クロックと同等の映像クロックの１チャンネルの映像データを出力することができる。したがって、第２の動作を行うことにより、高画質な映像データを出力することができる。
【００８２】
なお、映像伝送装置１００の各機能（逓倍器Ａ１０１、レベル変換器Ａ１０２、マルチプレクサＡ１０３、クロック乗せ換え器Ａ１０４、クロック乗せ換え器１０５、逓倍器Ｂ１１１、レベル変換器Ｂ１１２、マルチプレクサＢ１１３、クロック乗せ換え器Ｂ１１４）は、例えば、回路や装置により実現される。
【００８３】
また、映像伝送装置１００の各機能部は、ソフトウェア、プログラムにより実現されてもよい。この場合、映像伝送装置１００は、ＣＰＵ（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵは、バスを介してＲＯＭ、ＲＡＭ等の記憶装置と接続されている。記憶装置には、映像伝送装置１００の各機能部を実現するソフトウェアやプログラムが記憶されており、ＣＰＵにより読み出され実行される。また、各機能部へ入力される信号やデータ、各機能部から出力される信号やデータは、記憶装置に一時的に記憶される。
【符号の説明】
【００８４】
１００  映像伝送装置、１０１  逓倍器Ａ、１０２  レベル変換器Ａ、１０３  マルチプレクサＡ、１０４  クロック乗せ換え器Ａ、１０５  クロック乗せ換え器、１１１  逓倍器Ｂ、１１２  レベル変換器Ｂ、１１３  マルチプレクサＢ、１１４  クロック乗せ換え器Ｂ、２００  クロック発生器、２０１  映像信号出力器Ａ、２０２  映像信号受信器、２１１  映像信号出力器Ｂ。
【図１】
2012213115.tif 000003
【図２】
2012213115.tif 000004
【図３】
2012213115.tif 000005
【図４】
2012213115.tif 000006
【図５】
2012213115.tif 000007
【図６】
2012213115.tif 000008
【図７】
2012213115.tif 000009
【図８】
2012213115.tif 000010
【図９】
2012213115.tif 000011